(57)【要約】  無線ネットワーク制御装置ＲＮＣは、第１の送信時間間隔ＴＴＩで設定するユーザの数および第２のＴＴＩで設定するユーザの数を管理する。例えば、無線基地局ＲＢＳとワイヤレス通信デバイスとの間に少なくとも１つの無線ベアラを設定するための方法がＲＮＣによって実行される。本方法は、ＲＮＣからＲＢＳへ、第１の数のワイヤレス通信デバイスと第２の数のワイヤレス通信デバイスとの間の配分を制御するための無線ベアラ設定情報を送ることを含み、第１の数のワイヤレス通信デバイスは第１のＴＴＩを使用して無線ベアラを動作させ、第２の数のワイヤレス通信デバイスは第２のＴＴＩを使用して無線ベアラを動作させる。【選択図】図２
2016524859.tif 000002
【特許請求の範囲】
【請求項１】
無線ネットワーク制御装置（ＲＮＣ）（１０５、２０５、４００、７００）によって実行される、無線基地局（ＲＢＳ）（１０４、２０４、５００、６１２、８００）とワイヤレス通信デバイス（１０６、２０６、６１４）との間に少なくとも１つの無線ベアラを設定するための方法であって、
前記ＲＮＣから前記ＲＢＳへ、第１の数のワイヤレス通信デバイスと第２の数のワイヤレス通信デバイスとの間の配分を制御するための無線ベアラ設定情報を送ること（２１２）を含み、前記第１の数のワイヤレス通信デバイスが第１の送信時間間隔ＴＴＩを使用して無線ベアラを動作させ、前記第２の数のワイヤレス通信デバイスが第２のＴＴＩを使用して無線ベアラを動作させる
方法。
【請求項２】
前記第１の数のワイヤレス通信デバイスと前記第２の数のワイヤレス通信デバイスとがそれぞれの最大数である、請求項１に記載の方法。
【請求項３】
前記ＲＢＳから、
−  ワイヤレス通信デバイスを無線ベアラにおける前記第１のＴＴＩの使用から前記第２のＴＴＩの使用へと切り替えることと、
−  ワイヤレス通信デバイスを無線ベアラにおける前記第２のＴＴＩの使用から前記第１のＴＴＩの使用へと切り替えることと
のうちのいずれかに関する情報を受信すること（２２２）を含む、請求項１または２に記載の方法。
【請求項４】
前記ＲＢＳから前記無線ベアラ設定情報を更新するための情報を受信すること（２２６）と、
前記ＲＢＳから受信した前記情報に基づいて前記無線ベアラ設定情報を更新することと
を含む、請求項１から３のいずれか一項に記載の方法。
【請求項５】
前記ＲＢＳから受信した前記情報が、前記第１および前記第２のＴＴＩを使用して無線ベアラを動作させているワイヤレス通信デバイスの最大数を表す値を含む、請求項４に記載の方法。
【請求項６】
前記ＲＢＳから、
−  無線ベアラにおいて前記第１のＴＴＩが使用されているという情報と、
−  無線ベアラにおいて前記第２のＴＴＩが使用されているという情報と
のうちのいずれかに関する情報を受信すること（２２２）を含む、請求項３から５のいずれか一項に記載の方法。
【請求項７】
前記第１のＴＴＩおよび前記第２のＴＴＩをそれぞれ使用して無線ベアラを動作させているワイヤレス通信デバイスの数に関する情報を前記ＲＢＳと交換すること（２２８）
を含む、請求項１から６のいずれか一項に記載の方法。
【請求項８】
前記無線ベアラ設定情報を送ることが
−  少なくとも１つのＮｏｄｅＢアプリケーション部（ＮＢＡＰ）メッセージを送ることと、
−  少なくとも１つのＩｕｂ／Ｉｕｒフレームプロトコルメッセージを送ることと、
−  少なくとも１つの制御プレーンメッセージを送ることと
のうちのいずれかを含む、請求項１から７のいずれか一項に記載の方法。
【請求項９】
前記第１のＴＴＩが２ミリ秒であり、前記第２のＴＴＩが１０ミリ秒である、請求項１から８のいずれか一項に記載の方法。
【請求項１０】
無線基地局（ＲＢＳ）（１０４、２０４、５００、６１２、８００）によって実行される、前記ＲＢＳとワイヤレス通信デバイス（１０６、２０６、６１４）との間に少なくとも１つの無線ベアラを設定するための方法であって、
無線ネットワーク制御装置（ＲＮＣ）（１０５、２０５、４００、７００）から無線ベアラ設定情報を受信すること（２１２）であって、前記無線ベアラ設定情報が、第１の数のワイヤレス通信デバイスと第２の数のワイヤレス通信デバイスとの間の配分を制御するための情報を含み、前記第１の数のワイヤレス通信デバイスは第１の送信時間間隔ＴＴＩを使用して無線ベアラを動作させ、前記第２の数のワイヤレス通信デバイスは第２のＴＴＩを使用して無線ベアラを動作させる、受信することと、
受信した前記無線ベアラ設定情報を用いて、前記第１のＴＴＩを使用する動作から前記第２のＴＴＩを使用する動作への前記ワイヤレス通信デバイスの切り替えを制御すること（２１８）と
を含む方法。
【請求項１１】
前記第１の数のワイヤレス通信デバイスと前記第２の数のワイヤレス通信デバイスとがそれぞれの最大数である、請求項１０に記載の方法。
【請求項１２】
請求項１０または１１に記載の方法であって、受信した前記無線ベアラ設定情報を用いて、前記第１のＴＴＩを使用する動作から前記第２のＴＴＩを使用する動作への前記ワイヤレス通信デバイスの切り替えを制御する前記ステップが、
−  ワイヤレス通信デバイスを無線ベアラにおける前記第１のＴＴＩの使用から前記第２のＴＴＩの使用へと切り替えると決定することと、
−  ワイヤレス通信デバイスを無線ベアラにおける前記第２のＴＴＩの使用から前記第１のＴＴＩの使用へと切り替えると決定することと
のうちのいずれか１つの決定または両方の決定を含み、
前記方法は、
前記ワイヤレス通信デバイスを無線ベアラにおける前記第１のＴＴＩの使用から前記第２のＴＴＩの使用へと切り替える決定がなされた場合は、前記ＲＮＣに対し、前記ワイヤレス通信デバイスを無線ベアラにおける前記第１のＴＴＩの使用から前記第２のＴＴＩの使用へと切り替えるという情報を送ること（２２２）と、
前記ワイヤレス通信デバイスを無線ベアラにおける前記第２のＴＴＩの使用から前記第１のＴＴＩの使用へと切り替える決定がなされた場合は、前記ＲＮＣに対し、前記ワイヤレス通信デバイスを無線ベアラにおける前記第２のＴＴＩの使用から前記第１のＴＴＩの使用へと切り替えるという情報を送ること（２２２）と
をさらに含む、方法。
【請求項１３】
ワイヤレス通信デバイスから受信したＴＴＩ切り替えトリガに関する無線ベアラのステータスを解析すること（２２４）を含み、
無線ベアラの前記ステータスの前記解析に基づき、前記無線ベアラ設定情報を更新するための情報を決定することと、
決定された前記無線ベアラ設定情報を更新するための前記情報を前記ＲＮＣへ送ること（２２６）と
をさらに含む、請求項１０から１２のいずれか一項に記載の方法。
【請求項１４】
決定された前記無線ベアラ設定情報を更新するための前記情報が、前記第１および前記第２のＴＴＩを使用して無線ベアラを動作させているワイヤレス通信デバイスの最大数を表す値を含む、請求項１３に記載の方法。
【請求項１５】
前記ＲＮＣへ、
−  無線ベアラにおいて前記第１のＴＴＩが使用されているという情報と、
−  無線ベアラにおいて前記第２のＴＴＩが使用されているという情報と
のうちのいずれかに関する情報を送ること（２２２）を含む、請求項１２から１４のいずれか一項に記載の方法。
【請求項１６】
前記第１のＴＴＩおよび前記第２のＴＴＩをそれぞれ使用して無線ベアラを動作させている前記ワイヤレス通信デバイスの数に関する情報を前記ＲＮＣと交換すること（２２８）
を含む、請求項１０から１５のいずれか一項に記載の方法。
【請求項１７】
前記無線ベアラ設定情報の受信が
−  少なくとも１つのＮｏｄｅＢアプリケーション部（ＮＢＡＰ）メッセージを受信することと、
−  少なくとも１つのＩｕｂ／Ｉｕｒフレームプロトコルメッセージを受信することと、
−  少なくとも１つの制御プレーンメッセージを受信することと
のうちのいずれかを含む、請求項１０から１６のいずれか一項に記載の方法。
【請求項１８】
前記第１のＴＴＩが２ミリ秒であり、前記第２のＴＴＩが１０ミリ秒である、請求項１０から１７のいずれか一項に記載の方法。
【請求項１９】
入出力回路構成（４０６）と、プロセッサ（４０２）と、メモリ（４０４）とを備える無線ネットワーク制御装置（ＲＮＣ）（１０５、２０５、４００、７００）であって、前記メモリが前記プロセッサによって実行され得る命令を格納し、これらの命令により、前記ＲＮＣが無線基地局（ＲＢＳ）（１０４、２０４、５００、６１２、８００）とワイヤレス通信デバイス（１０６、２０６、６１４）との間に少なくとも１つの無線ベアラを
前記ＲＮＣから前記ＲＢＳへ、第１の数のワイヤレス通信デバイスと第２の数のワイヤレス通信デバイスとの間の配分を制御するための無線ベアラ設定情報を送ることであって、前記第１の数のワイヤレス通信デバイスは第１の送信時間間隔ＴＴＩを使用して無線ベアラを動作させ、前記第２の数のワイヤレス通信デバイスは第２のＴＴＩを使用して無線ベアラを動作させる、送ること
により設定するように動作する、無線ネットワーク制御装置。
【請求項２０】
無線回路構成（５０７）と、プロセッサ（５０２）と、メモリ（５０４）とを備える無線基地局（ＲＢＳ）（１０４、２０４、５００、６１２、８００）であって、前記メモリが前記プロセッサによって実行され得る命令を格納し、これらの命令により、前記ＲＢＳが前記ＲＢＳとワイヤレス通信デバイス（１０６、２０６、６１４）との間に少なくとも１つの無線ベアラを
無線ネットワーク制御装置（ＲＮＣ）（１０５、２０５、４００、７００）から無線ベアラ設定情報を受信することであって、前記無線ベアラ設定情報が、第１の数のワイヤレス通信デバイスと第２の数のワイヤレス通信デバイスとの間の配分を制御するための情報を含み、前記第１の数のワイヤレス通信デバイスは第１の送信時間間隔ＴＴＩを使用して無線ベアラを動作させ、前記第２の数のワイヤレス通信デバイスは第２のＴＴＩを使用して無線ベアラを動作させる、受信することと、
受信した前記無線ベアラ設定情報を用いて、前記第１のＴＴＩを使用する動作から前記第２のＴＴＩを使用する動作への前記ワイヤレス通信デバイスの切り替えを制御することと
により設定するように動作する、無線基地局。
【請求項２１】
無線ネットワーク制御装置（ＲＮＣ）（１０５、２０５、４００、７００）内の少なくとも１つのプロセッサ（４０２）で実行されたときに、前記ＲＮＣに請求項１から９のいずれか一項に記載の方法を実行させる命令を含む、コンピュータプログラム（４４１）。
【請求項２２】
電気信号、光信号、無線信号、およびコンピュータ可読記憶媒体の一つである、請求項２１に記載のコンピュータプログラムを含むキャリア（４４２）。
【請求項２３】
無線基地局（ＲＢＳ）（１０４、２０４、５００、６１２、８００）内の少なくとも１つのプロセッサ（５０２）で実行されたときに、前記ＲＢＳに請求項１０から１８のいずれか一項に記載の方法を実行させる命令を含む、コンピュータプログラム（５４１）。
【請求項２４】
電気信号、光信号、無線信号、およびコンピュータ可読記憶媒体の一つである、請求項２３に記載のコンピュータプログラムを含むキャリア（５４２）。
【発明の詳細な説明】
【技術分野】
【０００１】
本明細書の実施形態はワイヤレス通信システムに関し、より詳細には、ワイヤレス通信システムにおける送信時間間隔切り替えの管理に関する。
【背景技術】
【０００２】
今日、多くのワイヤレス通信システムは、例えば回線交換音声サービス、パケットデータサービス、高データレートサービスなどの複数種類のサービスをサポートしている。これらのさまざまなサービスは、特性がそれぞれ非常に異なっている。加えて、さまざまなアプリケーションが同じ汎用サービスを使用する場合、そのサービスに対する要求も多様化することがある。例えば、インターネットブラウザアプリケーションをサポートするパケットデータサービスは、遅延およびスループットが変動するが、マルチメディアストリーミングアプリケーションをサポートするパケットデータサービスは平均スループットが比較的安定しており、遅延も短い。
【０００３】
ワイヤレス通信システムは、無線ベアラを使用して、このような各種のサービスをサポートしている。無線ベアラは、無線接続を介してワイヤレス通信デバイスと基地局との間のユーザデータの転送を、定義済みのデータ転送特性（定義済みのサービス品質すなわちＱｏＳなど）によりサポートする。定義済みのさまざまな転送特性を提供するために、さまざまな無線ベアラが設定される。
【０００４】
しかしながら、状況によっては、例えばワイヤレス通信デバイスの現要件に対して無線ベアラを最適化するために、所与の無線ベアラの設定または状態を変更する必要に迫られる場合がある。無線ベアラの設定または状態の変更には、システムがＨｉｇｈ  Ｓｐｅｅｄ  Ｐａｃｋｅｔ  Ａｃｃｅｓｓ（ＨＳＰＡ）システムである場合の非限定的な例として、無線ベアラの追加もしくは削除、個別物理チャネル（ＤＰＣＨ：Ｄｅｄｉｃａｔｅｄ  Ｐｈｙｓｉｃａｌ  Ｃｈａｎｎｅｌ）とＥｎｈａｎｃｅｄ  Ｕｐｌｉｎｋ（ＥＵＬ）／Ｈｉｇｈ  Ｓｐｅｅｄ（ＨＳ）との間の無線ベアラの移動、拡散率および／もしくはビットレートの変更、ならびに／または接続機能（例えば、ＥＵＬの２ｍｓ／１０ｍｓ送信時間間隔（ＴＴＩ：Ｔｒａｎｓｍｉｓｓｉｏｎ  Ｔｉｍｅ  Ｉｎｔｅｒｖａｌ）、デュアルセルまたはマルチキャリア、６４値直交振幅変調（６４ＱＡＭ）、多入力多出力（ＭＩＭＯ）、Ｃｏｎｔｉｎｕｏｕｓ  Ｐａｃｋｅｔ  Ｃｏｎｎｅｃｔｉｖｉｔｙ（ＣＰＣ）、Ｄｏｗｎｌｉｎｋ（ＤＬ）Ｅｎｈａｎｃｅｄ  ｌａｙｅｒ  ２（Ｌ２）、Ｕｐｌｉｎｋ（ＵＬ）Ｉｍｐｒｏｖｅｄ  Ｌ２）の追加もしくは削除を伴う。
【０００５】
無線ベアラのＴＴＩの変更（すなわちＴＴＩ切り替え）に関連する無線ベアラ設定変更の具体例について考察する。ＴＴＩは、エアインターフェースを介して送信が発生する時間間隔を定義する無線ベアラパラメータである。ある種のシステムでは、例えば、１つまたは複数のいわゆるトランスポートブロックのセットが媒体アクセス制御（ＭＡＣ：Ｍｅｄｉｕｍ  Ａｃｃｅｓｓ  Ｃｏｎｔｒｏｌ）層から物理層へ渡されるが、ＴＴＩとは、この１つまたは複数のトランスポートブロックセットをエアインターフェースを介して送信するのに要する時間である。
【０００６】
とにかく、長いＴＴＩ（例えば１０ｍｓ以上）は、チャネル条件が劣悪であってもその影響を受けにくいことがわかっている。一方、短いＴＴＩ（例えば２ｍｓ）は待ち時間を短縮させ、これはモバイルブロードバンドサービスをサポートする際に良好なエンドユーザ体感を提供するのに必要となる。このような理由から、できる限り広いエリアで短いＴＴＩを使用することが望ましい。しかしながら、少なくとも現行の第３世代（３Ｇ）ネットワークでは、サイズの大きいマクロセルがいまだ相当数存在している。マクロセルのサイズが大きすぎると、セルがそのカバレッジエリア全体を２ｍｓという短いＴＴＩでサポートするのは難しいことが概ね判明している。そのような環境では、ワイヤレス通信デバイスがセル境界に接近したときに１０ｍｓなどのより長いＴＴＩにフォールバックする必要が生じ得る。しかし、そのためには、デバイスがセル境界に接近したときに無線ベアラ設定の変更がトリガされ、その変更が適用されなければならない。
【０００７】
現行の第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）規格（すなわち、リリース１１を意味するＲｅｌ−１１まで）では、ＣＥＬＬ＿ＤＣＨ状態でＥｎｈａｎｃｅｄ  Ｄｅｄｉｃａｔｅｄ  Ｃｈａｎｎｅｌ（Ｅ−ＤＣＨ）が使用される場合、ユーザが２ｍｓ  ＴＴＩと１０ｍｓ  ＴＴＩのどちらで動作すべきかを設定するのは、無線ネットワーク制御装置（ＲＮＣ：Ｒａｄｉｏ  Ｎｅｔｗｏｒｋ  Ｃｏｎｔｒｏｌｌｅｒ）である。ここで、および以降の説明において、「ユーザ」という概念は「ワイヤレス通信デバイス」と同等であると理解すべきである。
【０００８】
現在議論中の３ＧＰＰ  Ｒｅｌ−１２（すなわちリリース１２）では、特に「ＥＵＬのさらなる拡張に関する検討」という検討事項に関して、特に２ｍｓ  ＴＴＩ動作におけるＥＵＬカバレッジを広げることを目指し、いくつかの方法が評価段階にある。
【発明の概要】
【０００９】
上述の欠点を少なくとも緩和するために、各種の実施形態において、ＲＮＣによって実行される方法、無線基地局（ＲＢＳ：Ｒａｄｉｏ  Ｂａｓｅ  Ｓｔａｔｉｏｎ）によって実行される方法、ならびに対応するＲＮＣ、ＲＢＳ、コンピュータプログラム、およびキャリアが提供される。
【００１０】
これらの実施形態の概要を述べる前に、２０１３年１月３０日に出願された米国特許出願第６１／７５８６２２号に、測定の改善ならびに迅速性とロバスト性を向上させた切り替えに基づくいくつかの拡張について記載されていることに注目しなければならない。切り替えに関して示されている１つの可能な改善案は、ＮｏｄｅＢ（ＮｏｄｅＢはＲＢＳの一例であることに注意）によって自律的に行われる切り替えの決定（例えば２ｍｓから１０ｍｓＴＴＩ）に依拠して、迅速なＴＴＩ再設定を可能にするというものである。従って、ＥＵＬ  ＴＴＩ切り替えの既存の再設定手順とは異なり、決定するのはＲＮＣではなくＮｏｄｅＢとしている。
【００１１】
現行の３ＧＰＰ規格では、ＴＴＩ切り替えの決定はＲＮＣが行うため、ＲＮＣは、ユーザ機器（ＵＥ：Ｕｓｅｒ  Ｅｑｕｉｐｍｅｎｔ、ＵＥはワイヤレス通信デバイスの一例であることに注意）によってＥ−ＤＣＨリソースを介して送られるデータが２ｍｓ  ＴＴＩと１０ｍｓ  ＴＴＩのどちらで送信されるのかを事前に把握し、２ｍｓ  ＴＴＩと１０ｍｓ  ＴＴＩで送信中のそれぞれのユーザ数についても把握している。
【００１２】
ＲＮＣは、この情報を以下のようなさまざまな目的のために必要とする。
１．  １０ｍｓ  ＴＴＩと２ｍｓ  ＴＴＩとでは、ＴＴＩ長の違いゆえに特性およびパフォーマンス要件が非常に異なる。従って、ＲＮＣは、上位層へのデータ転送における一貫性を確保できるようＮｏｄｅＢとＲＮＣとの間のインターフェース上でユーザプレーンを正しく設定または再設定するために、ＵＥがＴＴＩを切り替えるかどうかを事前に知っておく必要がある。
２．  ＲＮＣは、この情報を使用して、２つのＴＴＩ間の相対的な使用状況を推定し、例えばアドミッション制御ポリシーに基づき、Ｅ−ＤＣＨリソースの利用を同時に許可される２ｍｓ  ＴＴＩの最大ユーザ数および１０ｍｓ  ＴＴＩの最大ユーザ数を決定することができる。このようにして、ＲＮＣは、セル内のＥ−ＤＣＨトラフィックが必要とするリソースを動的に管理できるようになる。
【００１３】
米国特許出願第６１／７５８６２２号で提案されたようなＮｏｄｅＢによる自律的な決定を導入すると、ＲＮＣは、ＴＴＩの再設定が行われたユーザの数を追跡することは依然として可能であっても、２ｍｓに割り当てるユーザ数および１０ｍｓ  ＴＴＩに割り当てるユーザ数を制御することはできなくなる。
【００１４】
本明細書の実施形態は、ＲＮＣが２ｍｓ  ＴＴＩで設定するユーザの数および１０ｍｓ  ＴＴＩで設定するユーザの数を管理するための手段を提供するものである。
【００１５】
言い換えれば、第１の態様では、無線ネットワーク制御装置ＲＮＣによって実行される、無線基地局ＲＢＳとワイヤレス通信デバイスとの間に少なくとも１つの無線ベアラを設定するための方法が提供される。本方法は、ＲＮＣからＲＢＳへ、第１の数のワイヤレス通信デバイスと第２の数のワイヤレス通信デバイスとの間の配分を制御するための無線ベアラ設定情報を送ることを含み、第１の数のワイヤレス通信デバイスは第１のＴＴＩを使用して無線ベアラを動作させ、第２の数のワイヤレス通信デバイスは第２のＴＴＩを使用して無線ベアラを動作させる。
【００１６】
第２の態様では、無線基地局ＲＢＳによって実行される、ＲＢＳとワイヤレス通信デバイスとの間に少なくとも１つの無線ベアラを設定するための方法が提供される。本方法は、無線ネットワーク制御装置ＲＮＣから無線ベアラ設定情報を受信することを含む。無線ベアラ設定情報は、第１の数のワイヤレス通信デバイスと第２の数のワイヤレス通信デバイスとの間の配分を制御するための情報を含み、第１の数のワイヤレス通信デバイスは第１のＴＴＩを使用して無線ベアラを動作させ、第２の数のワイヤレス通信デバイスは第２のＴＴＩを使用して無線ベアラを動作させる。次に、受信した無線ベアラ設定情報を用いて、第１の送信時間間隔ＴＴＩを使用する動作から第２のＴＴＩを使用する動作へとワイヤレス通信デバイスを切り替える制御が実行される。
【００１７】
さらなる態様では、以下に詳しく説明するように、対応するＲＮＣ、対応するＲＢＳ、およびコンピュータプログラムが提供される。
【００１８】
サービングＮｏｄｅＢが自律的に割り当てることのできる２ｍｓおよび１０ｍｓＴＴＩリソースの量に関して、ＲＮＣとＮｏｄｅＢとが同期するための追加手段も提供される。
【００１９】
以下に要約するように、これらの高度なメカニズムを本目的のために用いることができる。以下の説明では、ＲＮＣのみならず、制御ＲＮＣ（ＣＲＮＣ：ｃｏｎｔｒｏｌｌｉｎｇ  ＲＮＣ）、サービングＲＮＣ（ＳＲＮＣ：ｓｅｒｖｉｎｇ  ＲＮＣ）についても言及することに留意すべきである。当業者であれば理解するように、ＣＲＮＣとは無線アクセスネットワーク（ＲＡＮ：Ｒａｄｉｏ  Ａｃｃｅｓｓ  Ｎｅｔｗｏｒｋ）においてアクセスポイント（ＮｏｄｅＢなど）のリソースの全体的制御を担うＲＮＣであり、ＳＲＮＣとは１つのワイヤレス通信デバイス（すなわちＭＡＣ−ｄプロトコルを終端するエンティティ）への接続を処理するＲＮＣである。ＲＡＮはＣＲＮＣの機能とＳＲＮＣの機能とが共存する形で実現されることが多い。従って、本文脈におけるＲＮＣはＣＲＮＣ／ＳＲＮＣの組み合わせと考えられる。
【００２０】
第１の実施形態において、ＣＲＮＣは、ＮｏｄｅＢが割り当てることのできる、セル当たりのサービングユーザの最大数をＴＴＩ（例えば、２ｍｓまたは１０ｍｓ）ごとに設定する（サービングユーザとは、当該セルをサービングセルとしているユーザである）。
【００２１】
さらなる一実施形態は、以下のように実施形態１の上に構築される。
１．ＣＲＮＣは、ＮｏｄｅＢが割り当てることのできる、セル当たりのサービングユーザの最大数をＴＴＩごとに設定する（サービングユーザとは、当該セルをサービングセルとしているユーザである）。
２．ＮｏｄｅＢによる自律的なＴＴＩ切り替えの決定では、ＮｏｄｅＢがＣＲＮＣによって設定された限度を考慮して新しいＴＴＩ設定（２ｍｓまたは１０ｍｓ）を割り当てる。
３．ＮｏｄｅＢはＣＲＮＣ／ＳＲＮＣに対し、このＴＴＩ切り替え決定について指示する。
４．パフォーマンスを向上させるため、ＮｏｄｅＢはＣＲＮＣに対し、ＴＴＩタイプごとの新しい最大割り当て数を推奨する。
【００２２】
さらなる一実施形態では、ＮｏｄｅＢがＵＥと通信を行うように設定される。ＮｏｄｅＢはＲＮＣからＴＴＩ最大割り当て数を受信する。ＮｏｄｅＢはこのＴＴＩ最大割り当て数を保存する。ＵＥのＴＴＩ切り替えがトリガされる。ＮｏｄｅＢはＵＥからＴＴＩ切り替えトリガを受信する。ＮｏｄｅＢは、ＴＴＩ最大割り当て数を考慮して、ＵＥが使用するＴＴＩを決定する。ＮｏｄｅＢはＵＥへ、このＴＴＩ切り替えを送信する。ＮｏｄｅＢはＲＮＣへ、このＴＴＩ切り替えを送信して、ＲＮＣがＴＴＩレコードを維持できるようにする。
【００２３】
さらなる一実施形態では、ＵＥがＮｏｄｅＢによってサーブされる。ＮｏｄｅＢはＲＮＣに接続している。ＵＥはＮｏｄｅＢへＴＴＩ切り替えトリガを送信する。ＮｏｄｅＢは、ＲＮＣから受信したＴＴＩ最大割り当て数に基づいて、ＵＥのＴＴＩを決定してもよい。ＵＥは、ＲＮＣから受信したＴＴＩ最大割り当て数に基づくＴＴＩ切り替え実行をＮｏｄｅＢから受信する。
【図面の簡単な説明】
【００２４】
【図１】ワイヤレス通信システムの概略ブロック図である。
【図２】フローチャートおよびシグナリング図が組み合わせられた図である。
【図３】データフレームの内容を示す図である。
【図４】ＲＮＣの概略ブロック図である。
【図５】ＲＢＳの概略ブロック図である。
【図６】ワイヤレス通信システムの概略ブロック図である。
【図７】ＲＮＣの概略ブロック図である。
【図８】ＲＢＳの概略ブロック図である。
【発明を実施するための形態】
【００２５】
図１は、本明細書の実施形態が実現され得る例示的なワイヤレス通信システム１００を示す概略図である。ワイヤレス通信システム１００は、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）ネットワーク、Ｇｌｏｂａｌ  Ｓｙｓｔｅｍ  ｆｏｒ  Ｍｏｂｉｌｅ  ｃｏｍｍｕｎｉｃａｔｉｏｎ（ＧＳＭ）など、いかなる３ＧＰＰワイヤレス通信システムであってもよい。ワイヤレス通信システム１００は、前述のシステムのいずれかが進化したもの、または前述のシステムの組み合わせであってよい。
【００２６】
ワイヤレス通信システム１００は、無線アクセスネットワーク１０２およびコアネットワーク１０３内に配分される複数の多様なノードを備えることができる。
【００２７】
無線アクセスネットワーク１０２におけるノードは「無線ネットワークノード」と呼ぶことができるが、例えば、基地局（ＢＳ）、ベーストランシーバ基地局（ＢＴＳ）、無線基地局（ＲＢＳ）、リモートラジオユニット（ＲＲＵ）、アクセスポイント、３ＧネットワークにおけるＮｏｄｅＢ、ロングタームエボリューション（ＬＴＥ：Ｌｏｎｇ  Ｔｅｒｍ  Ｅｖｏｌｕｔｉｏｎ）におけるエボルブドＮｏｄｅＢ（ｅＮｏｄｅＢまたはｅＮＢ）、ネットワークなどを意味する。ＵＭＴＳ地上無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）のネットワークにおいて、ノードはＲＮＣでもあり得る。さらにＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）  ＥＤＧＥ（ＥＤＧＥ：Ｅｎｈａｎｃｅｄ  Ｄａｔａ  ｒａｔｅｓ  ｆｏｒ  ＧＳＭ  Ｅｖｏｌｕｔｉｏｎ）無線アクセスネットワーク、すなわちＧＥＲＡＮにおいて、「無線ネットワークノード」という用語は基地局制御装置（ＢＳＣ）も意味する場合がある。
【００２８】
図１に示すように、ＲＮＣ１０５は、ここでは無線アクセスネットワーク１０２内のＮｏｄｅＢ１０４として例示した、システム内の他のノードに接続することができる。またコアネットワーク１０３内の任意のエンティティなどのエンティティ１０７に、さらに別のネットワーク１０９内のノード１１０などのノードに接続することができる。しかしながら、このようなエンティティとの通信に関するいかなる詳細も本開示の範囲外であることに留意すべきである。
【００２９】
システム１００内では複数のワイヤレス通信デバイスが動作することができる。このような１つのワイヤレス通信デバイス１０６が無線インターフェース１１１を介して無線アクセスネットワーク１０２内のＮｏｄｅＢ１０４と接続している状態が示されている。ＮｏｄｅＢ１０４配下のセル１１３には、ワイヤレス通信デバイス１０６および典型的には他の多くのワイヤレス通信デバイス（図示せず）が在圏している。本明細書における「ワイヤレス通信デバイス」という用語は、無線通信機能を搭載したユーザ機器すなわちＵＥ、加入者ユニット、携帯電話、セル式電話、携帯情報端末すなわちＰＤＡ、スマートフォン、内部または外部にモバイルブロードバンドモデムを備えたラップトップコンピュータまたはパーソナルコンピュータすなわちＰＣ、無線通信機能を搭載したタブレットＰＣ、携帯用電子無線通信デバイスなどを意味し得る。以下に、ＲＮＣ、ＮｏｄｅＢ、およびＵＥの間の通信を中心に若干詳細な説明を加える。
【００３０】
次に図２〜図３を参照しながら、方法の実施形態について若干詳細に説明する。上述のように「ユーザ」という用語は「ワイヤレス通信デバイス」と同等である。
【００３１】
従来は、Ｅ−ＤＣＨチャネルのセットアップ時に、ＣＲＮＣがＴＴＩ設定ごとのリソースをどのように割り当てるか決定していた。ＮｏｄｅＢの自律的なＴＴＩ切り替えにより、ＣＲＮＣは、ＮｏｄｅＢによってセットアップおよび／または切り替えが可能な２ｍｓおよび１０ｍｓごとのＴＴＩサービングユーザの数を決定するのではなく、設定することになる（サービングユーザとは、当該セルをサービングセルとしているユーザである）。
【００３２】
ソリューションＡ．１：
ＴＴＩタイプごとの最大ユーザ割り当て数情報を伝達する新しいＮＢＡＰ（ＮｏｄｅＢアプリケーション部）メッセージがＣＲＮＣからＮｏｄｅＢへ送られる。この情報は以下のように与えることができる。
・  ＮｏｄｅＢにおける、当該セルによってサポートされる２ｍｓ  ＴＴＩのサービングユーザ（無線リンク）のセル当たり最大割り当て数。
・  ＮｏｄｅＢにおける、当該セルによってサポートされる１０ｍｓ  ＴＴＩのサービングユーザ（無線リンク）のセル当たり最大割り当て数。
・  ２ｍｓ  ＴＴＩのサービングユーザを切り替えない場合、ＮｏｄｅＢによってサポートされる１０ｍｓ  ＴＴＩの最大割り当て数（サービングユーザとは、当該セルをサービングセルとしているユーザである）。
【００３３】
ＮｏｄｅＢによって割り当て可能なＴＴＩごとのセル当たり最大サービングユーザ数とは、ＴＴＩタイプごとのセル当たりＥ−ＤＣＨサービングユーザすべてを指す（アクセス層リリース（Ａｃｃｅｓｓ  Ｓｔｒａｔｕｍ  Ｒｅｌｅａｓｅ）に基づくいかなる区別もしない）。
【００３４】
あるいは、ＮｏｄｅＢによって割り当て可能なＴＴＩごとのセル当たり最大サービングユーザ数とは、ＮｏｄｅＢの自律的ＴＴＩ切り替えをサポートするＲｅｌ−１２ユーザを指す。
【００３５】
あるいは（この新機能をサポートしているか否かにかかわらず）Ｒｅｌ−１２サービングユーザを指す。
【００３６】
さらに、「最大ユーザ数」には以下の選択肢も適用できる。
ａ．  Ｅ−ＤＣＨ無線リンク（ＲＬ：Ｒａｄｉｏ  Ｌｉｎｋ）合計数、すなわち、１０ｍｓ  ＴＴＩについて、２ｍｓ  ＴＴＩについて、またはこの２つのＴＴＩ長を区別せずに、サービングと非サービングを合わせたもの。
ｂ．  ＲＮＣが新しい接続をセットアップするために一定の割り当て数を維持できるよう、１０ｍｓおよび／または２ｍｓに自律的に切り替えられた後にＮｏｄｅＢに残存しているＲＬの数の各々について、上限を設けてもよい。
・  セル識別子、例えばセルＩＤ。
・  同じ情報を伝達できる他の任意の数量。他のタイプのセル識別を使用してセルを識別してもよい。
【００３７】
あるいは、既存のＮＢＡＰメッセージ（例えばＮＢＡＰ：物理共有チャネルの再設定要求（ＰＨＹＳＩＣＡＬ  ＳＨＡＲＥＤ  ＣＨＡＮＮＥＬ  ＲＥＣＯＮＦＩＧＵＲＡＴＩＯＮ  ＲＥＱＵＥＳＴ）またはセルセットアップ要求（ＣＥＬＬ  ＳＥＴＵＰ  ＲＥＱＵＥＳＴ））を拡張して、上記の情報を含めることができる。
【００３８】
ＮｏｄｅＢは上記の情報を保存し、ＴＴＩ切り替えの決定を行う際にこの情報を利用して、上限を超えないようにする。
【００３９】
ソリューションＡ．２：
前述のソリューションＡ．１に加えて、ＮｏｄｅＢはＣＲＮＣ／ＳＲＮＣに対しＴＴＩ切り替えの決定について通知する必要がある。既存のＩｕｂ／Ｉｕｒフレームプロトコルを拡張して、ＴＴＩ長指示情報を含めることができる。あるいは、新規または既存の制御プレーンメッセージを用いて、この情報を伝達することができる。
【００４０】
ＮｏｄｅＢは、ユーザの切り替え／アドミッション／リリースごとに、可能な２ｍｓ  ＴＴＩおよび１０ｍｓ  ＴＴＩの限度を更新する。
【００４１】
ＣＲＮＣがユーザの切り替え／アドミッション／リリースごとにそれぞれのＴＴＩのユーザ数を把握するようにしてもよい。
【００４２】
ソリューションＡ．３：
ソリューションＡ．１およびソリューションＡ．２に加えて、例えば、ＴＴＩ限度に到達した時点または到達する寸前にＮｏｄｅＢが一定量のＴＴＩ切り替えトリガを受信したとき、ＮｏｄｅＢがＲＮＣに対しＴＴＩ最大数を再設定するように示唆してもよい。
【００４３】
ソリューションＡ．３は単独でも適用できることに留意されたい（ソリューションＡ．１および／またはソリューションＡ．２を適用する必要はない）。
【００４４】
この方法を図２および表１に示す。この例では、ＴＳ  ２５．４３３のＮＢＡＰ（第９．１．６２章）「物理共有チャネルの再設定要求（ＰＨＹＳＩＣＡＬ  ＳＨＡＲＥＤ  ＣＨＡＮＮＥＬ  ＲＥＣＯＮＦＩＧＵＲＡＴＩＯＮ  ＲＥＱＵＥＳＴ）」が拡張されている。表１に示すように、新しい情報要素（ＩＥ：Ｉｎｆｏｒｍａｔｉｏｎ  Ｅｌｅｍｅｎｔ）グループである「ＴＴＩ切り替え設定（ＴＴＩ  Ｓｗｉｔｃｈｉｎｇ  Ｃｏｎｆｉｇｕｒａｔｉｏｎ）」がＴＴＩ量設定として表の末尾に追加されている。同様の情報を伝達する他のＩＥを他の位置に定義してもよい。
【００４５】
ソリューションＢ：
ＮｏｄｅＢは、ＴＴＩ切り替えを実行した後、ＣＲＮＣ／ＳＲＮＣに対し、ユーザデータ送信に使用される実際のＴＴＩ長を通知する必要がある。
【００４６】
図３に示すように、ＴＳ  ２５．４２７のユーザプレーンプロトコルである「Ｅ−ＤＣＨ用アップリンク（Ｕｐｌｉｎｋ  ｆｏｒ  Ｅ−ＤＣＨ）」を拡張して、ＴＴＩ長指示情報を伝達することができる。
【００４７】
図３に、ＴＳ  ２５．４２７のユーザプレーンの定義（第９．１．８９章）Ｅ−ＤＣＨタイプ１のＥ−ＤＣＨ  ＵＬデータフレーム（Ｅ−ＤＣＨ  ＵＬ  ＤＡＴＡ  ＦＲＡＭＥ  ＦＯＲ  Ｅ−ＤＣＨ  ＴＹＰＥ  １）を示す。図３の例では、新しいＩＥ「ＴＴＩ長（ＴＴＩ  Ｌｅｎｇｔｈ）」がヘッダの予備（ｓｐａｒｅ）ビットに追加されている（２つの予備（ｓｐａｒｅ）ビットを使用。０１：２ｍｓ  ＴＴＩ、１０：１０ｍｓ  ＴＴＩ、１１：予備（ｒｅｓｅｒｖｅｄ））。同様の情報を伝達する他のＩＥを他の位置に定義してもよい。同様の変更をＥ−ＤＣＨタイプ２のＥ−ＤＣＨ  ＵＬデータフレーム（Ｅ−ＤＣＨ  ＵＬ  ＤＡＴＡ  ＦＲＡＭＥ  ＦＯＲ  Ｅ−ＤＣＨ  ＴＹＰＥ  ２）にも適用することができる。
【００４８】
あるいは、新規の制御プレーンメッセージ、新規または既存のユーザプレーン制御フレームを用いて、この情報を伝達してもよい。
【００４９】
ソリューションＣ：
ＲＮＣとＮｏｄｅＢとが同期して、各ノードにおいて処理されるＴＴＩごとのサービングタイプの無線リンクの数が同じになれば有利であり得る。使用中の無線リンクの現在数に関する情報をＲＮＣからＲＢＳ、またＲＢＳからＲＮＣへ提供するために、一貫性検査を追加してもよい。これは、既存のメッセージまたは上記のような新規のＮＢＡＰメッセージを用いて実現することができる。ＲＮＣがアドミッションを管理しているため、ＲＢＳはＲＮＣの定義した現ユーザ数に適応することになる。
【００５０】
これらの方法の実施形態を図２にさらに示す。図２に示すように、例えば図１に示した状況で、（ＵＥで示す）ワイヤレス通信デバイス２０６は（ＮｏｄｅＢで示す）ＲＢＳ２０４と接続し、ＮｏｄｅＢ２０４はＲＮＣ２０５と接続している。図２は以下のようないくつかの動作を示している。
【００５１】
動作２１０
この動作で、ＲＮＣ２０５はＴＴＩごとの最大割り当て数を決定する。さらに上位概念的に述べると、第１の数のワイヤレス通信デバイスと第２の数のワイヤレス通信デバイスとの間の配分を制御するための無線ベアラ設定情報が生成される。前記第１の数のワイヤレス通信デバイスは第１のＴＴＩを使用して無線ベアラを動作させ、前記第２の数のワイヤレス通信デバイスは第２のＴＴＩを使用して無線ベアラを動作させる。
【００５２】
動作２１２
無線ベアラ設定情報がＲＮＣ２０５からＲＢＳ／ＮｏｄｅＢ２０４へ送信される。上述のようにＮＢＡＰは、新規または既存の制御プレーンメッセージ（２ｍｓ  ＴＴＩ最大割り当て数、１０ｍｓ  ＴＴＩ最大割り当て数など）として使用できる。
【００５３】
動作２１４
ＲＢＳ／ＮｏｄｅＢ２０４は受信した情報を保存する。
【００５４】
受信した情報は、この後、ＲＢＳ／ＮｏｄｅＢ２０４内で、第１の送信時間間隔ＴＴＩを使用する動作から第２のＴＴＩを使用する動作へのワイヤレス通信デバイスの切り替えを制御するために用いられる。この制御は、例えば次の動作によって実行することができる。
【００５５】
動作２１６
ＲＢＳ／ＮｏｄｅＢはワイヤレス通信デバイス／ＵＥ２０６からＴＴＩ切り替えトリガを受信する。言い換えれば、ＴＴＩ切り替えがトリガされる。
【００５６】
動作２１８
ＲＢＳ／ＮｏｄｅＢ２０４は受信した無線ベアラ設定情報を用いて、第１の送信時間間隔ＴＴＩを使用する動作から第２のＴＴＩを使用する動作へのワイヤレス通信デバイス２０６の切り替えを制御してもよく、この制御は次のうちのいずれか１つの決定または両方の決定を含む。
−  ワイヤレス通信デバイス２０６を無線ベアラにおける第１のＴＴＩの使用から第２のＴＴＩの使用へと切り替えると決定すること、
−  ワイヤレス通信デバイス２０６を無線ベアラにおける第２のＴＴＩの使用から第１のＴＴＩの使用へと切り替えると決定すること。
【００５７】
例えば、この決定には、ＵＥが１０ｍｓ  ＴＴＩと２ｍｓ  ＴＴＩのどちらを使用すべきかについてＲＢＳ／ＮｏｄｅＢ２０４が決定することを伴ってもよい。
【００５８】
動作２２０
ワイヤレス通信デバイス／ＵＥ２０６へ、例えばＨＳ−ＳＣＣＨ命令形式の命令を送ることにより、ＴＴＩ切り替えが実行される。
【００５９】
動作２２２
この動作には次の動作を伴ってもよい。ワイヤレス通信デバイス２０６を無線ベアラにおける第１のＴＴＩの使用から第２のＴＴＩの使用へと切り替える決定がなされた場合は、ＲＮＣ２０５に対し、ワイヤレス通信デバイスを無線ベアラにおける第１のＴＴＩの使用から第２のＴＴＩの使用へと切り替えるという情報を送る。
−  ワイヤレス通信デバイスを無線ベアラにおける第２のＴＴＩの使用から第１のＴＴＩの使用へと切り替える決定がなされた場合は、ＲＮＣ２０５に対し、ワイヤレス通信デバイスを無線ベアラにおける第２のＴＴＩの使用から第１のＴＴＩの使用へと切り替えるという情報を送る。
【００６０】
ＲＮＣ２０５において、この動作は、無線ベアラ設定情報を更新するための情報をＲＢＳ／ＮｏｄｅＢ２０４から受信することと、ＲＢＳ／ＮｏｄｅＢ２０４から受信した情報に基づいて無線ベアラ設定情報を更新することとを含む。
【００６１】
いくつかの実施形態において、ＲＢＳ／ＮｏｄｅＢ２０４はＲＮＣ２０５に対し、次のうちのいずれかに関する情報を送ってもよい。すなわち、無線ベアラにおいて第１のＴＴＩが使用されているという情報、無線ベアラにおいて第２のＴＴＩが使用されているという情報である。
【００６２】
例えば、Ｉｕｂフレームプロトコル（ＦＰ）が用いられる場合、ＲＢＳ／ＮｏｄｅＢ２０４はＣＲＮＣに対しＴＴＩ長を指示する。ＣＲＮＣがＳＲＮＣでない場合、ＳＲＮＣに指示するためにＩｕｒ  ＦＰが用いられる。
【００６３】
動作２２４
いくつかの実施形態において、ＲＢＳ／ＮｏｄｅＢ２０４は無線ベアラのステータスを解析してもよく、このステータスはワイヤレス通信デバイスから受信したＴＴＩ切り替えトリガに関するものである。無線ベアラのステータスの解析に基づき、無線ベアラ設定情報を更新するための情報が決定される。いくつかの実施形態において、無線ベアラ設定情報を更新するための情報は、第１および第２のＴＴＩを使用して無線ベアラを動作させているワイヤレス通信デバイスの最大数を表す値を含む。
【００６４】
動作２２６
決定された、無線ベアラ設定情報を更新するための情報は、次にＲＢＳ／ＮｏｄｅＢ２０４からＲＮＣ２０５へ送ることができる。ＲＮＣ２０５は無線ベアラ設定情報を更新するための情報を受信し、ＲＢＳ／ＮｏｄｅＢ２０４から受信した情報に基づいて無線ベアラ設定情報を更新する。
【００６５】
動作２２８
ＲＢＳ／ＮｏｄｅＢ２０４とＲＮＣ２０５との間の同期には、第１のＴＴＩおよび第２のＴＴＩをそれぞれ使用して無線ベアラを動作させているワイヤレス通信デバイスの数に関する情報を交換することを伴ってもよい。
【００６６】
上述の動作から明らかとなるように、ＮｏｄｅＢおよびＲＢＳという用語は、本明細書において無線ネットワーク基地局を説明するために交換可能に用いられる。また、上述のように、無線ベアラ設定情報は、実施形態において次のうちのいずれを含んでもよい。
−  少なくとも１つのＮｏｄｅＢアプリケーション部（ＮＢＡＰ）メッセージ、
−  少なくとも１つのＩｕｂ／Ｉｕｒフレームプロトコルメッセージ、
−  少なくとも１つの制御プレーンメッセージ。
【００６７】
さらに、上述のように、第１のＴＴＩは２ミリ秒であり、かつ第２のＴＴＩは１０ミリ秒であってよい。
【００６８】
ＮｏｄｅＢおよびＲＢＳという用語は、本明細書において無線ネットワーク基地局を説明するために交換可能に用いられる。
【００６９】
本発明の実施形態は、ＮｏｄｅＢおよびＲＮＣの両方が、Ｅ−ＤＣＨの２ｍｓ  ＴＴＩユーザ数および１０ｍｓ  ＴＴＩユーザ数に関するアドミッション制御制限について整合することを可能にする。
【００７０】
ここで図４〜図８を参照しながら、実施形態に関連する装置およびコンピュータプログラムについて若干詳細な説明を加える。
【００７１】
図４はＲＮＣ４００を示す。ＲＮＣ４００は、図１に関連して上で説明したＲＮＣ１０５であってよい。ＲＮＣ４００は、入出力回路構成４０６、プロセッサ４０２、およびメモリ４０４を備えている。メモリ４０４には、プロセッサ４０２によって実行され得る命令が格納されており、これらの命令により、ＲＮＣ４００は、ＲＢＳ（図１のＮｏｄｅＢ１０４など。上述のようにＮｏｄｅＢはＲＢＳの一例である）とワイヤレス通信デバイス（図１のＵＥ１０６など。上述のようにＵＥはワイヤレス通信デバイスの一例である）との間に、次のステップにより少なくとも１つの無線ベアラを設定するように動作する。
−  ＲＮＣ４００からＲＢＳへ、第１の数のワイヤレス通信デバイスと第２の数のワイヤレス通信デバイスとの間の配分を制御するための無線ベアラ設定情報を送ること（前記第１の数のワイヤレス通信デバイスは第１のＴＴＩを使用して無線ベアラを動作させ、前記第２の数のワイヤレス通信デバイスは第２のＴＴＩを使用して無線ベアラを動作させる）。
【００７２】
プロセッサ４０２によって実行され得る命令は、コンピュータプログラム４４１の形態をとるソフトウェアであってよい。コンピュータプログラム４４１は、コンピュータプログラム４４１をメモリ４０４およびプロセッサ４０２に提供することができるキャリア４４２に含まれていてもよい。キャリア４４２は、電気信号、光信号、無線信号、またはコンピュータ可読記憶媒体を含む任意の適切な形態であってよい。
【００７３】
いくつかの実施形態において、第１の数のワイヤレス通信デバイスおよび前記第２の数のワイヤレス通信デバイスはそれぞれの最大数である。
【００７４】
いくつかの実施形態において、ＲＮＣ４００は、次のステップにより無線ベアラを設定するように動作する。
−  ＲＢＳから次のうちのいずれかに関する情報を受信すること：
−  ワイヤレス通信デバイスを無線ベアラにおける第１のＴＴＩの使用から第２のＴＴＩの使用へと切り替えること、
−  ワイヤレス通信デバイスを無線ベアラにおける第２のＴＴＩの使用から第１のＴＴＩの使用へと切り替えること。
【００７５】
いくつかの実施形態において、ＲＮＣ４００は、次のステップにより無線ベアラを設定するように動作する。
−  ＲＢＳから無線ベアラ設定情報を更新するための情報を受信すること、
−  ＲＢＳから受信した情報に基づいて無線ベアラ設定情報を更新すること。
【００７６】
いくつかの実施形態において、ＲＮＣ４００は、次のステップにより無線ベアラを設定するように動作する。
−  ＲＢＳから次のうちのいずれかに関する情報を受信すること：
−  無線ベアラにおいて第１のＴＴＩが使用されているという情報、
−  無線ベアラにおいて第２のＴＴＩが使用されているという情報。
【００７７】
いくつかの実施形態において、ＲＮＣ４００は、次のステップにより無線ベアラを設定するように動作する。
−  第１のＴＴＩおよび第２のＴＴＩをそれぞれ使用して無線ベアラを動作させているワイヤレス通信デバイスの数に関する情報をＲＢＳと交換すること。
【００７８】
いくつかの実施形態において、ＲＮＣ４００は、次のステップにより無線ベアラを設定するように動作する。
−  少なくとも１つのＮｏｄｅＢアプリケーション部（ＮＢＡＰ）メッセージを送ること、
−  少なくとも１つのＩｕｂ／Ｉｕｒフレームプロトコルメッセージを送ること、
−  少なくとも１つの制御プレーンメッセージを送ること。
【００７９】
いくつかの実施形態において、第１のＴＴＩは２ミリ秒であり、かつ第２のＴＴＩは１０ミリ秒である。
【００８０】
図５はＲＢＳ５００を示す。ＲＢＳ５００は、図１に関連して上で説明したＮｏｄｅＢ１０４であってよい。ＲＢＳ５００は、その一部が無線回路構成５０７の形態をとる入出力回路構成５０６、プロセッサ５０２、およびメモリ５０４を備えている。メモリ５０４には、プロセッサ５０２によって実行され得る命令が格納されており、これらの命令によって、ＲＢＳ５００は、ＲＢＳ５００とワイヤレス通信デバイス（図１のＵＥ１０６など）との間に、次のステップにより少なくとも１つの無線ベアラを設定するように動作する。
−  無線ネットワーク制御装置ＲＮＣから無線ベアラ設定情報を受信すること（前記無線ベアラ設定情報は、第１の数のワイヤレス通信デバイスと第２の数のワイヤレス通信デバイスとの間の配分を制御するための情報を含み、前記第１の数のワイヤレス通信デバイスは第１のＴＴＩを使用して無線ベアラを動作させ、前記第２の数のワイヤレス通信デバイスは第２のＴＴＩを使用して無線ベアラを動作させる）、
−  受信した無線ベアラ設定情報を用いて、第１の送信時間間隔ＴＴＩを使用する動作から第２のＴＴＩを使用する動作へのワイヤレス通信デバイスの切り替えを制御すること。
【００８１】
プロセッサ５０２によって実行され得る命令は、コンピュータプログラム５４１の形態をとるソフトウェアであってよい。コンピュータプログラム５４１は、コンピュータプログラム５４１をメモリ５０４およびプロセッサ５０２に提供することができるキャリア（搬送媒体）５４２に含まれていてもよい。キャリア５４２は、電気信号、光信号、無線信号、またはコンピュータ可読記憶媒体を含む任意の適切な形態であってよい。
【００８２】
いくつかの実施形態において、第１の数のワイヤレス通信デバイスおよび前記第２の数のワイヤレス通信デバイスはそれぞれの最大数である。
【００８３】
いくつかの実施形態において、ＲＢＳ５００は、次のうちのいずれか１つの決定または両方の決定を実行することにより、無線ベアラを設定するように動作する。
−  ワイヤレス通信デバイスを無線ベアラにおける第１のＴＴＩの使用から第２のＴＴＩの使用へと切り替えると決定すること、
−  ワイヤレス通信デバイスを無線ベアラにおける第２のＴＴＩの使用から第１のＴＴＩの使用へと切り替えると決定すること。
ここで本方法はさらに次のステップを含む。
−  ワイヤレス通信デバイスを無線ベアラにおける第１のＴＴＩの使用から第２のＴＴＩの使用へと切り替える決定がなされた場合は、ＲＮＣに対し、ワイヤレス通信デバイスを無線ベアラにおける第１のＴＴＩの使用から第２のＴＴＩの使用へと切り替えるという情報を送ること、
−  ワイヤレス通信デバイスを無線ベアラにおける第２のＴＴＩの使用から第１のＴＴＩの使用へと切り替える決定がなされた場合は、ＲＮＣに対し、ワイヤレス通信デバイスを無線ベアラにおける第２のＴＴＩの使用から第１のＴＴＩの使用へと切り替えるという情報を送ること。
【００８４】
いくつかの実施形態において、ＲＢＳ５００は、次のステップにより無線ベアラを設定するように動作する。
−  無線ベアラのステータスを解析すること（前記ステータスはワイヤレス通信デバイスから受信したＴＴＩ切り替えトリガに関するものである）。
ここで本方法はさらに次のステップを含む。
−  無線ベアラのステータスの解析に基づき、無線ベアラ設定情報を更新するための情報を決定すること、
−  決定された、無線ベアラ設定情報を更新するための情報をＲＮＣへ送ること。
【００８５】
いくつかの実施形態において、決定された、無線ベアラ設定情報を更新するための情報は、第１および第２のＴＴＩを使用して無線ベアラを動作させているワイヤレス通信デバイスの最大数を表す値を含む。
【００８６】
いくつかの実施形態において、ＲＢＳ５００は、次のステップにより無線ベアラを設定するように動作する。
−  ＲＮＣへ次のうちのいずれかに関する情報を送ること：
−  無線ベアラにおいて第１のＴＴＩが使用されているという情報、
−  無線ベアラにおいて第２のＴＴＩが使用されているという情報。
【００８７】
いくつかの実施形態において、ＲＢＳ５００は、次のステップにより無線ベアラを設定するように動作する。
−  第１のＴＴＩおよび第２のＴＴＩをそれぞれ使用して無線ベアラを動作させているワイヤレス通信デバイスの数に関する情報をＲＮＣと交換すること。
【００８８】
いくつかの実施形態において、無線ベアラ設定情報の受信は、次のうちのいずれかを含む。
−  少なくとも１つのＮｏｄｅＢアプリケーション部（ＮＢＡＰ）メッセージを受信すること、
−  少なくとも１つのＩｕｂ／Ｉｕｒフレームプロトコルメッセージを受信すること、
−  少なくとも１つの制御プレーンメッセージを受信すること。
【００８９】
いくつかの実施形態において、第１のＴＴＩは２ミリ秒であり、かつ第２のＴＴＩは１０ミリ秒である。
【００９０】
図６は、ＮｏｄｅＢ６１２およびＵＥ６１４を備えるシステム６１０を示す。ＮｏｄｅＢ６１２は、図５に示したＲＢＳ５００のプロセッサ５０２およびメモリ５０４に機能上似ている、制御および処理回路６２０を備えている。制御および処理回路６２０は、１つまたは複数の送信器と１つまたは複数の受信器とを備える送受信回路６２２に接続されており、送受信回路６２２にはアンテナ６１６が取り付けられている。同様に、ＵＥ６１４は制御および処理回路６２４を備えている。制御および処理回路６２４は、１つまたは複数の送信器と１つまたは複数の受信器とを備える送受信回路６２６に接続されており、送受信回路６２６にはアンテナ６１８が取り付けられている。ＵＥ６１４とＮｏｄｅＢ６１２とは、例えば、図１〜図３に関連して上で述べたように、アップリンクＵＬおよびダウンリンクＤＬを介して通信可能である。
【００９１】
図７は、送信モジュール７０２を備えるＲＮＣ７００を示す。送信モジュール７０２は、ＲＮＣ７００からＲＢＳへ、第１の数のワイヤレス通信デバイスと第２の数のワイヤレス通信デバイスとの間の配分を制御するための無線ベアラ設定情報を送るように設定されており、前記第１の数のワイヤレス通信デバイスは第１のＴＴＩを使用して無線ベアラを動作させ、前記第２の数のワイヤレス通信デバイスは第２のＴＴＩを使用して無線ベアラを動作させる。ＲＮＣ７００は、例えば図４に関連して上で説明したＲＮＣ４００と同様に動作するように設定されたモジュールをさらに備えていてもよい。
【００９２】
図８は、受信モジュール８０２および制御モジュール８０４を備えるＲＢＳ８００を示す。受信モジュール８０２はＲＮＣから無線ベアラ設定情報を受信するように設定されており、前記無線ベアラ設定情報は第１の数のワイヤレス通信デバイスと第２の数のワイヤレス通信デバイスとの間の配分を制御するための情報を含み、前記第１の数のワイヤレス通信デバイスは第１のＴＴＩを使用して無線ベアラを動作させ、前記第２の数のワイヤレス通信デバイスは第２のＴＴＩを使用して無線ベアラを動作させる。制御モジュール８０４は、受信した無線ベアラ設定情報を用いて、第１の送信時間間隔ＴＴＩを使用する動作から第２のＴＴＩを使用する動作へのワイヤレス通信デバイスの切り替えを制御するように設定されている。ＲＢＳ８００は、例えば図５に関連して上で説明したＲＢＳ５００と同様に動作するように設定されたモジュールをさらに備えていてもよい。
【００９３】
本明細書で使用する「処理モジュール」という用語は、処理回路，処理ユニット、プロセッサ、特定用途向け集積回路（ＡＳＩＣ）、フィールドプログラマブルゲートアレイ（ＦＰＧＡ）などを意味し得る。一例として、プロセッサ、ＡＳＩＣ、ＦＰＧＡなどは、１つまたは複数のプロセッサカーネルを含んでいてもよい。いくつかの例において、処理モジュールはソフトウェアモジュールまたはハードウェアモジュールによって具現化され得る。このようなモジュールはいずれも、本明細書で開示したような、決定手段、推定手段、捕捉手段、関連付け手段、比較手段、識別手段、選択手段、受信手段、送信手段などであってよい。一例として、「手段」という表現は、決定モジュール、選択モジュールなどのモジュールであってよい。
【００９４】
本明細書で使用する「ように設定される」という表現は、処理回路がソフトウェア設定および／またはハードウェア設定により、本明細書で説明した動作の１つまたは複数を実行するように設定されている、すなわち、そのようになされているということを意味する。
【００９５】
本明細書で使用する「メモリ」という用語は、ハードディスク、磁気記憶媒体、ポータブルコンピュータディスケットまたはディスク、フラッシュメモリ、ランダムアクセスメモリ（ＲＡＭ）などを意味し得る。さらに「メモリ」という用語は、プロセッサの内部レジスタメモリなどを意味する場合もある。
【００９６】
本明細書で使用する「コンピュータ可読媒体」という用語は、ユニバーサルシリアルバス（ＵＳＢ）メモリ、ＤＶＤディスク、ブルーレイディスク、データストリームとして受信されるソフトウェアモジュール、フラッシュメモリ、ハードドライブの他、メモリスティック、マルチメディアカード（ＭＭＣ）などのメモリカード等々を意味し得る。
【００９７】
本明細書で使用する「コンピュータ可読コード単位」という用語は、コンピュータプログラムのテキスト、コンパイル済み形式のコンピュータプログラムを表現するバイナリファイルの全部もしくは一部、またはこれらの中間に位置するものを意味し得る。
【００９８】
本明細書で使用する「数」、「値」という用語は、二進数、実数、虚数、または有理数などのいかなる種類の数字であってもよい。さらに「数」、「値」は文字または文字列などの１つまたは複数の文字であってよい。「数」、「値」はビット列で表現されてもよい。
【００９９】
本明細書で使用する「いくつかの実施形態において」という表現は、説明する実施形態の特徴が本明細書で開示される他のいかなる実施形態とも組み合わせ可能であることを示すために用いられている。
【０１００】
さまざまな態様の実施形態について説明してきたが、その多種多様な代替例、変形例などは当業者には明らかとなろう。従って、説明した実施形態は本開示の範囲を限定することを意図したものではない。
2016524859.tif 000003
2016524859.tif 000004
【０１０１】
略語
使用した略語については、上記および図面において説明するよう努めたが、以下に、取り上げなかった略語の説明を示す。
【０１０２】
ＣＦＮ            コネクションフレーム番号（Ｃｏｎｎｅｃｔｉｏｎ  ｆｒａｍｅ  ｎｕｍｂｅｒ）
Ｃ−ＩＤ          セルＩＤ（Ｃｅｌｌ−ＩＤ）
ＣＲＣ            巡回冗長検査（Ｃｙｃｌｉｃ  ｒｅｄｕｎｄａｎｃｙ  ｃｈｅｃｋ）
ＤＤＩ            データ記述インジケータ（Ｄａｔａ  ｄｅｓｃｒｉｐｔｉｏｎ  ｉｎｄｉｃａｔｏｒ）
ＤＲＸ            間欠受信（Ｄｉｓｃｏｎｔｉｎｕｏｕｓ  ｒｅｃｅｐｔｉｏｎ）
Ｅ−ＡＧＣＨ      Ｅ−ＤＣＨ絶対速度制御チャネル（Ｅ−ＤＣＨ  ａｂｓｏｌｕｔｅ  ｇｒａｎｔ  ｃｈａｎｎｅｌ）
Ｅ−ＤＣＨ        拡張個別チャネル（Ｅｎｈａｎｃｅｄ  Ｄｅｄｉｃａｔｅｄ  Ｃｈａｎｎｅｌ）
Ｅ−ＨＩＣＨ      Ｅ−ＤＣＨハイブリッド自動再送要求指示チャネル（Ｅ−ＤＣＨ  ｈｙｂｒｉｄ  ＡＲＱ  ｉｎｄｉｃａｔｏｒ  ｃｈａｎｎｅｌ）
Ｅ−ＲＧＨＣ      Ｅ−ＤＣＨ相対速度制御チャネル（Ｅ−ＤＣＨ  ｒｅｌａｔｉｖｅ  ｇｒａｎｔ  ｃｈａｎｎｅｌ）
ＦＡＣＨ          下りアクセスチャネル（Ｆｏｒｗａｒｄ  Ａｃｃｅｓｓ  Ｃｈａｎｎｅｌ）
ＦＤＤ            周波数分割複信（Ｆｒｅｑｕｅｎｃｙ  Ｄｉｖｉｓｉｏｎ  Ｄｕｐｌｅｘｉｎｇ）
ＦＳＮ            フレームシーケンス番号（Ｆｒａｍｅ  ｓｅｑｕｅｎｃｅ  ｎｕｍｂｅｒ）
ＦＴ              フレームタイプ（Ｆｒａｍｅ  ｔｙｐｅ）
ＨＳＤＰＡ        高速ダウンリンクパケットアクセス（Ｈｉｇｈ  ｓｐｅｅｄ  ｄｏｗｎｌｉｎｋ  ｐａｃｋｅｔ  ａｃｃｅｓｓ）
ＨＳ−ＤＳＣＨ    高速ダウンリンク共有チャネル（Ｈｉｇｈ  ｓｐｅｅｄ  ｄｏｗｎｌｉｎｋ  ｓｈａｒｅｄ  ｃｈａｎｎｅｌ）
ＨＳ−ＰＤＳＣＨ  高速ダウンリンク共有物理チャネル（Ｈｉｇｈ  ｓｐｅｅｄ  ｐｈｙｓｉｃａｌ  ｄｏｗｎｌｉｎｋ  ｓｈａｒｅｄ  ｃｈａｎｎｅｌ）
ＨＳ−ＳＣＣＨ    高速共有制御チャネル（Ｈｉｇｈ  ｓｐｅｅｄ  ｓｈａｒｅｄ  ｃｏｎｔｒｏｌ  ｃｈａｎｎｅｌ）
ＭＡＣ            媒体アクセス制御プロトコル（Ｍｅｄｉｕｍ  Ａｃｃｅｓｓ  Ｃｏｎｔｒｏｌ  Ｐｒｏｔｏｃｏｌ）
ＰＤＵ            プロトコルデータユニット（Ｐｒｏｔｏｃｏｌ  Ｄａｔａ  Ｕｎｉｔ）
ＲＢ              無線ベアラ（Ｒａｄｉｏ  ｂｅａｒｅｒ）
ＳＦＮ            システムフレーム番号（Ｓｙｓｔｅｍ  ｆｒａｍｅ  ｎｕｍｂｅｒ）
【図１】
2016524859.tif 000005
【図２】
2016524859.tif 000006
【図３】
2016524859.tif 000007
【図４】
2016524859.tif 000008
【図５】
2016524859.tif 000009
【図６】
2016524859.tif 000010
【図７】
2016524859.tif 000011
【図８】
2016524859.tif 000012
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
無線基地局（ＲＢＳ）（１０４、２０４、５００、６１２、８００）によって実行される、ワイヤレス通信デバイス（２０６）の送信時間間隔（ＴＴＩ）切り替えの制御のための方法であって、
前記ワイヤレス通信デバイス（２０６）からＴＴＩ切り替えトリガを受信すること（２１６）と、
第１のＴＴＩを使用する動作から第２のＴＴＩを使用する動作への前記ワイヤレス通信デバイス（２０６）の切り替えの制御を実行すること（２１８）と
を含む方法。
【請求項２】
前記ワイヤレス通信デバイスを無線ベアラにおける前記第１のＴＴＩの使用から前記第２のＴＴＩの使用へと切り替えるべきであるという情報を、ＲＮＣ（２０５）に送ること（２２２）
をさらに含む、請求項１に記載の方法。
【請求項３】
前記切り替えの制御を実行することは、
前記ワイヤレス通信デバイス（２０６）を無線ベアラにおける前記第１のＴＴＩの使用から前記第２のＴＴＩの使用へと切り替えるべきであると決定すること（２１８）と、
前記ワイヤレス通信デバイス（２０６）へ、ＨＳ−ＳＣＣＨ命令形式の命令を送ること（２２０）と
を含む請求項１または２に記載の方法。
【請求項４】
前記ワイヤレス通信デバイス（２０６）を無線ベアラにおける前記第１のＴＴＩの使用から前記第２のＴＴＩの使用へと切り替えるべきであると決定すること（２１８）は、
ワイヤレス通信デバイスから受信したＴＴＩ切り替えトリガに関する無線ベアラのステータスを解析すること（２２４）と、
無線ベアラの前記ステータスの前記解析に基づき、無線ベアラ設定情報を更新するための情報を決定することとを含み、前記方法はさらに、
決定された、無線ベアラ設定情報を更新するための前記情報を前記ＲＮＣへ送ること（２２６）
をさらに含む、請求項３に記載の方法。
【請求項５】
前記第１のＴＴＩが２ミリ秒であり、前記第２のＴＴＩが１０ミリ秒である、請求項１から４のいずれか一項に記載の方法。
【請求項６】
ワイヤレス通信デバイス（２０６）のＴＴＩ切り替えの制御のための無線基地局（ＲＢＳ）（１０４、２０４、５００、６１２、８００）であって、
前記ワイヤレス通信デバイス（２０６）からＴＴＩ切り替えトリガを受信するように設定された受信モジュール（８０２）と、
第１の送信時間間隔ＴＴＩを使用する動作から第２のＴＴＩを使用する動作への前記ワイヤレス通信デバイスの切り替えを制御するように設定された制御モジュール（８０４）と
を含む無線基地局。
【請求項７】
前記ワイヤレス通信デバイスを無線ベアラにおける前記第１のＴＴＩの使用から前記第２のＴＴＩの使用へと切り替えるという情報を、ＲＮＣ（２０５）に送るように設定された送信モジュール
をさらに含む、請求項６に記載のＲＢＳ。
【請求項８】
前記制御モジュール（８０４）は、
前記ワイヤレス通信デバイス（２０６）を無線ベアラにおける前記第１のＴＴＩの使用から前記第２のＴＴＩの使用へと切り替えるかどうかを決定するように設定された決定ユニットと、
前記ワイヤレス通信デバイス（２０６）へ、前記ワイヤレス通信デバイス（２０６）を無線ベアラにおける前記第１のＴＴＩの使用から前記第２のＴＴＩの使用へと切り替えるべきであるという決定、ＨＳ−ＳＣＣＨ命令形式の命令を送るように設定された送信ユニットと
を含む、請求項６または７に記載のＲＢＳ。
【請求項９】
前記決定ユニットは、
ワイヤレス通信デバイスから受信したＴＴＩ切り替えトリガに関する無線ベアラのステータスを解析するように設定された解析ユニットと
無線ベアラの前記ステータスの前記解析に基づき、無線ベアラ設定情報を更新するための情報を決定するように設定された決定ユニットとを含み、
前記送信ユニットは、
無線ベアラ設定情報を更新するための前記決定された情報を、前記ＲＮＣに送るようにさらに設定されている、請求項８に記載のＲＢＳ。
【請求項１０】
制御および処理回路（６２０）と送受信回路（６２２）とを備え、前記送受信回路（６２２）が１つまたは複数の送信器と１つまたは複数の受信器を備え、前記送受信回路（６２２）にアンテナ（６１６）が取り付けられている、無線基地局（ＲＢＳ）（１０４、２０４、５００、６１２、８００）であって、
前記送受信回路（６２２）は、前記無線通信デバイス（２０６）からＴＴＩ切り替えトリガを受信するように設定されており、
前記制御および処理回路（６２０）は、第１のＴＴＩを使用する動作から第２のＴＴＩを使用する動作への切り替えの制御を実行するように設定されている、無線基地局。
【請求項１１】
前記送受信回路（６２２）は、前記ワイヤレス通信デバイスを無線ベアラにおける前記第１のＴＴＩの使用から前記第２のＴＴＩの使用へと切り替えるという情報を、ＲＮＣ（２０５）に送るようにさらに設定されている、請求項１０に記載のＲＢＳ。
【請求項１２】
無線回路構成（５０７）と、プロセッサ（５０２）と、メモリ（５０４）とを備える無線基地局（ＲＢＳ）（１０４、２０４、５００、６１２、８００）であって、前記メモリが前記プロセッサによって実行され得る命令を格納し、これらの命令により、前記ＲＢＳは請求項１から５のいずれか一項によるワイヤレス通信デバイス（１０６、２０６、６１４）のＴＴＩ切り替えを制御する、無線基地局。
【請求項１３】
無線基地局（ＲＢＳ）（１０４、２０４、５００、６１２、８００）内の少なくとも１つのプロセッサ（５０２）で実行されたときに、前記ＲＢＳに請求項１から５のいずれか一項に記載の方法を実行させる命令を含む、コンピュータプログラム（５４１）。
【請求項１４】
請求項１３に記載のコンピュータプログラムを含んでおり、電気信号、光信号、無線信号、およびコンピュータ可読記憶媒体の一つであるキャリア（５４２）。
【国際調査報告】
2016524859.tif 000013
2016524859.tif 000014
2016524859.tif 000015